【事件の表示】
　特許第３２７８６５３号「ポリゴンスキャナモータ」の請求項１，２，５に係る特許に対する特許異議の申立てについて、次のとおり決定する。
【結　論】
　訂正を認める。
　特許第３２７８６５３号の請求項１，２，５に係る特許を取り消す。
【理　由】
１．手続の経緯
　　特許出願　　　　平成１３年　２月２１日
　　特許権設定登録　平成１４年　２月１５日
　　特許異議申立て　平成１４年１０月３０日
　　取消理由通知　　平成１４年１２月２５日
　　訂正請求　　　　平成１５年　３月１１日
　　
２．訂正の適否
（１）訂正の内容
　平成１５年３月１１日付訂正請求において、特許権者が求めている訂正の内容は、以下の訂正事項ａ〜ｄのとおりである。
　　
訂正事項ａ．請求項１の
　「ブラシレスモータの構造をなし、側面に反射面が形成されたポリゴンミラーを回転させて光偏向走査を行うポリゴンスキャナミラーにおいて、モータの回転子に嵌合固定される前記ポリゴンミラーの取付孔径に対し、前記ポリゴンミラーの上側に固定されるスラスト板の外径を大きくしたことを特徴とするポリゴンスキャナモータ。」を、
　「ブラシレスモータの構造をなし、側面に反射面が形成されたポリゴンミラーを回転させて光偏向走査を行うポリゴンスキャナミラーにおいて、モータの回転子の突部に嵌合固定される前記ポリゴンミラーの取付孔径に対し、前記ポリゴンミラーの上側に固定されるスラスト板の外径を大きくしたことを特徴とするポリゴンスキャナモータ。」に訂正する。
　　       
訂正事項ｂ．請求項３の
　「前記ポリゴンミラーは、前記ポリゴンミラーの取付孔が前記回転子の突部に嵌合され、前記突部の縁が所定の圧力で塑性変形されて固定され、前記スラスト板は、ステータ部の固定軸にカシメ固定されていることを特徴とする請求項１に記載のポリゴンスキャナモータ。」を、
　「ブラシレスモータの構造をなし、側面に反射面が形成されたポリゴンミラーを回転させて光偏向走査を行うポリゴンスキャナミラーにおいて、前記ポリゴンミラーは、前記ポリゴンミラーの取付孔がモータの回転子の突部に嵌合され、前記突部の縁が所定の圧力で塑性変形されて固定され、前記ポリゴンミラーの上側に固定されるスラスト板は、ステータ部の固定軸にカシメ固定され、前記ポリゴンミラーの取付孔に対し、前記スラスト板の外径を大きくしたことを特徴とするポリゴンスキャナモータ。」に訂正する。
　　
訂正事項ｃ．請求項４の
　「前記スラスト板は、前記突部と前記取付孔とが固定される軸方向の厚さ以下の寸法で前記ポリゴンミラー上面より離間されていることを特徴とする請求項１に記載のポリゴンスキャナモータ。」を、
　「ブラシレスモータの構造をなし、側面に反射面が形成されたポリゴンミラーを回転させて光偏向走査を行うポリゴンスキャナモータにおいて、前記ポリゴンミラーの上側に固定されるスラスト板は、モータの回転子の突部とポリゴンミラーの取付孔とが固定される軸方向の厚さ以下の寸法で前記ポリゴンミラー上面より離間されており、前記ポリゴンミラーの取付孔径に対し、前記スラスト板の外径を大きくしたことを特徴とするポリゴンスキャナモータ。」に訂正する。
　　
訂正事項ｄ．明細書【００３０】段落の
　「ステータ部２３が軸部２４に強固にカシメ固定されているので、モータから飛び出すことを回避することができる。」を、
　「スラスト板２９が軸部２４に強固にカシメ固定されているのでモータから飛び出すことを回避することができる。」に訂正する。
　　
（２）訂正の目的の適否、新規事項の有無、及び特許請求の範囲の拡張・変更の存否
訂正事項ａ．について
　請求項の訂正である訂正事項ａは、当初明細書【００２５】，【００２９】，【００３０】段落の記載に基づいて「モータの回転子に嵌合固定される」を「モータの回転子の突部に嵌合固定される」と訂正するものであり、特許請求の範囲の減縮を目的とするものと認められる。
　　
訂正事項ｂ．について
  請求項の訂正である訂正事項ｂは、請求項１を引用する形式であったものが、請求項１の訂正（上記訂正事項ａ．）により「ポリゴンミラーの取付孔が前記回転子の突部に嵌合」の構成が重複して記載されることを回避するために、独立形式に改めたものであり、不明瞭な記載の釈明を目的とするものである。　　
　　
訂正事項ｃ．について
  請求項の訂正である訂正事項ｃは、請求項１を引用する形式であったものが、請求項１の訂正（上記訂正事項ａ．）により「モータの回転子の突部とポリゴンミラーの取付孔とが固定」の構成が重複して記載されることを回避するために、独立形式に改めたものであり、不明瞭な記載の釈明を目的とするものである。　
 　　
訂正事項ｄ．について
　明細書【００３０】段落７〜８行「さらにスラスト板２９が軸部２４で強固に固定されている。」および図１の記載からみて、ポリゴンミラーがモータから飛び出すことを回避させるのはスラスト板２９の役割であるのは明らかである。
　よって「ステータ部２３が軸部２４に強固にカシメ固定されているので、モータから飛び出すことを回避することができる。」を、
　「スラスト板２９が軸部２４に強固にカシメ固定されているのでモータから飛び出すことを回避することができる。」に訂正することは誤記の訂正を目的とするものと認められる。
　　
　そして、上記訂正事項ａ〜ｄのいずれも新規事項を追加するものではなく、また実質上特許請求の範囲を拡張または、変更するものでもない。
　　   
（３）むすび
　以上のとおりであるから、上記訂正は、特許法第１２０条の４第２項並びに同条第３項において準用する特許法第１２６条第２項及び第３項の規定に適合するので、当該訂正を認める。　
　　
３．特許異議の申立の概要及び取消理由の概要
　異議申立人市東勇は、下記の甲１，２号証を提出して、請求項１，２に係る発明の特許は特許法第２９条第１項第３号の規定に違反してなされたものであり、請求項１，２，５に係る発明の特許は特許法第２９条第２項の規定に違反してなされたものであるから取り消すべき旨主張している。
甲１号証：特開平８−１１４２１９号公報
甲２号証：特開平２−１７３６１０号公報
　
　そして、平成１４年１２月２５日付で以下の取消理由を通知した。
１）本件出願の請求項１，２，５に係る発明は、その出願前日本国内または外国において頒布された下記の刊行物に記載された発明であるから、特許法第２９条第１項第３号に該当し、特許を受けることができない。
２）本件出願の請求項１，２，５に係る発明は、その出願前日本国内または外国において頒布された下記の刊行物に記載された発明に基づいて、その出願前にその発明の属する技術の分野における通常の知識を有する者が容易に発明をすることができたものであるから、特許法第２９条第２項の規定により特許を受けることができない。     
　　　　　　　　　　　　　記
刊行物：特開平８−１１４２１９号公報（異議申立人が提出した甲１号証）　　
４．本件発明
　本件特許第３２７８６５３号の請求項１，２，５に係る発明（以下、それぞれ、「本件発明１，２，５」という。）は、訂正明細書の特許請求の範囲の請求項１，２，５に記載された事項により特定されるとおりのものである。
「【請求項１】ブラシレスモータの構造をなし、側面に反射面が形成されたポリゴンミラーを回転させて光偏向走査を行なうポリゴンスキャナモータにおいて、モータの回転子の突部に嵌合固定される前記ポリゴンミラーの取付孔径に対し、前記ポリゴンミラーの上側に固定されるスラスト板の外径を大きくしたことを特徴とするポリゴンスキャナモータ。
【請求項２】前記スラスト板は、前記ポリゴンミラー側にスラスト方向の空気動圧軸受面を有することを特徴とする請求項１に記載のポリゴンスキャナモータ。
【請求項５】　前記スラスト板は、前記ポリゴンミラーの反射面の厚さ以下
の寸法で離間されていることを特徴とする請求項１に記載のポリゴンスキャナモータ。」
　　　       
５．刊行物記載の発明
刊行物には次の事項が記載されている。
  「・・・回転体５の下端部には回転方向に対し、複数個又は、円形状に形成したマグネット６４を設ける。前記回転支持装置１には前記マグネット６４に対向して設けたステータモータコイル８で、前記回転支持装置１に設けられ、前記ステータコイル８に通電することで回転体５を高速度で誘導回転させる。」（明細書段落【０００７】）
　「・・・回転体５の外周に一体成形した取付部材６にポリゴンミラー７を固定部材で固定し、・・・」（明細書段落【０００７】）
　「・・・上スラスト軸受３の外径Ｌ２と、前記回転体５の外径Ｌ１との関係を、Ｌ２＞Ｌ１のように構成する・・・」（明細書段落【００１０】）　
　　　
６．本件発明１についての対比・判断
　本件請求項１に係る発明と刊行物記載のものとを比較すると、刊行物記載のものにおける「ポリゴンミラー」，「回転体」，「上スラスト軸受」はそれぞれ本件発明における「側面に反射面が形成されたポリゴンミラー」，「回転子，」「スラスト板」に相当する。
　刊行物記載のモータは、上記段落【０００７】の記載からみて、回転子にマグネットが配置され固定子にコイルが配置される一般的なブラシレスモータの構造である。      　　
　刊行物の上記「・・・回転体５の外周に一体成形した取付部材６にポリゴンミラー７を固定部材で固定し、・・・」（明細書段落【０００７】）の記載からみて、本件請求項１に係る発明の「回転子に嵌合固定される前記ポリゴンミラー」の点は刊行物に実質的に記載されている。  
　刊行物の「・・・上スラスト軸受３の外径Ｌ２と、前記回転体５の外径Ｌ１との関係を、Ｌ２＞Ｌ１のように構成する・・・」（明細書段落【００１０】）及び図３の記載からみて、本件請求項１に係る発明の「ポリゴンミラーの取付孔径に対し、前記ポリゴンミラーの上側に固定されるスラスト板の外径を大きくした」の点は刊行物に実質的に記載されている。
　よって刊行物に記載の発明と本件請求項１に係る発明は、「ブラシレスモータの構造をなし、側面に反射面が形成されたポリゴンミラーを回転させて光偏向走査を行うポリゴンスキャナミラーにおいて、モータの回転子に嵌合固定される前記ポリゴンミラーの取付孔径に対し、前記ポリゴンミラーの上側に固定されるスラスト板の外径を大きくしたことを特徴とするポリゴンスキャナモータ。」の点で一致し、本件発明１は「モータの回転子の突部に嵌合固定されるポリゴンスキャナミラー」であるのに対し、刊行物記載のものでは「モータの回転子に嵌合固定されるポリゴンスキャナミラー」である点で相違する。
　ポリゴンミラーの嵌合固定のために突部を形成する点は周知技術（例えば特開平４−２５８１４号公報，特開平９−２１９７４号公報参照）であり、刊行物記載の発明にこの周知技術を採用し本願発明のようにすることは、当業者が適宜なし得たことである。　
　よって、本件発明１の特許は、特許法第２９条第２項の規定に違反してされたものである。
        　　　    
７．本件発明２についての対比・判断
　本件請求項２に係る発明は、本件請求項１の技術事項をさらに「前記スラスト板は、前記ポリゴンミラー側にスラスト方向の空気動圧軸受面を有する」と技術的に限定するものである。本件請求項１に係る発明と同様の技術的事項については、上記と同様の判断である。　
　そして限定された上記技術事項について判断すると、刊行物の「図示の符号４５は動圧軸受面であり、それぞれの部品面（ステータ部２３、回転子２６、スラスト板２９の接触面）に５ミクロン程度の動圧溝（グループ）がたとえば切削加工によって形成され、さらにその上に低摩擦係数で撥水性のあるＰＴＦＥなどのフッ素化合物の微粒子を分散させた金属で表面処理されている。これにより、回転子２６の動圧作用によって細径部２１ａを中心に円滑にかつ安定して高速回転できるように微量の間隙が形成されるように構成されている。」（明細書段落【００２７】）及び図１の記載からみて、上記「前記スラスト板は、前記ポリゴンミラー側にスラスト方向の空気動圧軸受面を有する」の点は刊行物に実質的に記載されている。
　よって、本件発明２は、刊行物記載の発明から当業者が容易に想到しえたものであり、本件発明２の特許は、特許法第２９条第２項の規定に違反してされたものである。 　
　　　                        
８．本件発明５について           
　本件発明５は、本件請求項１の技術事項をさらに「スラスト板は、前記ポリゴンミラーの反射面の厚さ以下の寸法で離間されている」と技術的に限定するものである。
　そして限定された上記技術事項についてみると、刊行物の図１の記載からみて上記「スラスト板は、前記ポリゴンミラーの反射面の厚さ以下の寸法で離間されている」点は、刊行物に実質的に記載されている事項である。
　よって本件発明５は、刊行物に記載の発明から当業者が容易に想到しえたものであり、本件発明５の特許は、特許法第２９条第２項の規定に違反してされたものである。 　
　　　
９．むすび
　以上のとおりであるから、本件発明１，２，５の特許は、特許法第２９条第２項の規定に違反してされたものであるから、同法第１１３条第２号に該当し、取り消されるべきものである。
　よって結論のとおり決定する。　
【異議決定日】
平成１５年６月１３日（２００３．６．１３）
【訂正の要旨】
審決（決定）の【理由】欄参照。
（５４）【発明の名称】
ポリゴンスキャナモ−タ
（５７）【特許請求の範囲】
　【請求項１】　ブラシレスモ−タの構造をなし、側面に反射面が形成されたポリゴンミラ−を回転させて光偏向走査を行なうポリゴンスキャナモ−タにおいて、
　モ−タの回転子の突部に嵌合固定される前記ポリゴンミラ−の取付孔径に対し、前記ポリゴンミラ−の上側に固定されるスラスト板の外径を大きくしたことを特徴とするポリゴンスキャナモ−タ。
　【請求項２】　前記スラスト板は、前記ポリゴンミラ−側にスラスト方向の空気動圧軸受面を有することを特徴とする請求項１に記載のポリゴンスキャナモ−タ。
　【請求項３】　ブラシレスモ−タの構造をなし、側面に反射面が形成されたポリゴンミラ−を回転させて光偏向走査を行なうポリゴンスキャナモ−タにおいて、
　前記ポリゴンミラ−は、前記ポリゴンミラ−の取付孔がモ−タの回転子の突部に嵌合され、前記突部の縁が所定の圧力で塑性変形されて固定され、
　前記ポリゴンミラ−の上側に固定されるスラスト板は、ステ−タ部の固定軸にカシメ固定され、前記ポリゴンミラ−の取付孔径に対し、前記スラスト板の外径を大きくしたことを特徴とするポリゴンスキャナモ−タ。
　【請求項４】　ブラシレスモ−タの構造をなし、側面に反射面が形成されたポリゴンミラ−を回転させて光偏向走査を行なうポリゴンスキャナモ−タにおいて、
　前記ポリゴンミラ−の上側に固定されるスラスト板は、モ−タの回転子の突部とポリゴンミラ−の取付孔とが固定される軸方向の厚さ以下の寸法で前記ポリゴンミラ−上面より離間されており、前記ポリゴンミラ−の取付孔径に対し、前記スラスト板の外径を大きくしたことを特徴とするポリゴンスキャナモ−タ。
　【請求項５】　前記スラスト板は、前記ポリゴンミラ−の反射面の厚さ以下の寸法で離間されていることを特徴とする請求項１に記載のポリゴンスキャナモ−タ。
【発明の詳細な説明】
　【０００１】
　【発明の属する技術分野】
　本発明は、レ−ザビ−ムプリンタ、デジタル複写機などレ−ザビ−ムの走査を行なうレ−ザ走査装置に用いられ、より詳細には、ポリゴンミラ−を変形させない最小限の弾性変形で固定し、スラスト板によってポリゴンミラ−の抜け防止を図るポリゴンスキャナモ−タに関する。
　【０００２】
　【従来の技術】
　モノクロあるいはフルカラ−の、レ−ザプリンタやデジタル複写機、レ−ザファクシミリ装置などレ−ザ走査系を搭載した電子写真方式の画像形成装置は、高画像品質、高速プリント性、静粛性など優れた特長と低コスト化により、急速に普及している。このレ−ザ走査系に搭載されるポリゴンスキャナモ−タには、プリント速度、画素密度に応じた回転速度が要求される。近年、プリント速度の高速化および画質の高解像化に伴い、ポリゴンスキャナモ−タにはたとえば３００００．５００００ｒｐｍの高速回転数の実現とその信頼性向上が要求されている。そこで、従来のボ−ルベアリングタイプの軸受では、軸受寿命、軸受騒音などの面から要求品質を満たすことができないため、高速回転用のポリゴンスキャナモ−タとして、空気動圧軸受を用いたものが実用化されている。
　【０００３】
　さて、このようなレ−ザ走査系に用いられる動圧軸受け構造のポリゴンスキャナモ−タとして、たとえば、ラジアル構造のものが特開平８．１９６０５６号公報、特開平９．１８２３５７号公報が開示されている。レ−ザ走査系に組み込まれるポリゴンスキャナモ−タは組立後の検査工程や、モ−タセット後の光学調整作業を行なう際に、箱状のレ−ザ走査系を開放して作業するため、万が一のポリゴンミラ−の抜け発生を回避する必要がある。このため、上記のポリゴンスキャナモ−タは、ロ−タに対してポリゴンミラ−をバネとバネ押さえで固定している。しかし、これらのポリゴンスキャナモ−タではロ−タ全体が抜け出る構造となっている。そこで、特開平９．３０３３８３号公報にはロ−タの抜け止めが考慮されたポリゴンスキャナモ−タが開示されている。なお、この特開平９．３０３３８３号公報ではミラ−の固定が外れた場合を考慮するものではない。
　【０００４】
　【発明が解決しようとする課題】
　しかしながら、上記に示されるような従来のポリゴンスキャナモ−タにあっては、ポリゴンミラ−の抜け防止を図ろうとしてミラ−の固定を強固にすると、ポリゴンミラ−に変形が生じ、本来の光走査特性が得られなくなるという問題点があった。
　【０００５】
　本発明は、上記に鑑みてなされたものであって、ポリゴンミラ−の変形を回避した状態で、光学特性に影響を及ぼすことのないミラ−抜け防止構造を実現することを目的とする。
　【０００６】
　【課題を解決するための手段】
　上記の目的を達成するために、請求項１にかかるポリゴンスキャナモ−タにあっては、ブラシレスモ−タの構造をなし、側面に反射面が形成されたポリゴンミラ−を回転させて光偏向走査を行なうポリゴンスキャナモ−タにおいて、モ−タの回転子に嵌合固定される前記ポリゴンミラ−の取付孔径に対し、前記ポリゴンミラ−の上側に固定されるスラスト板の外径を大きくしたものである。
　【０００７】
　この発明によれば、ポリゴンミラ−を取り付けるための取付孔径とポリゴンミラ−の上部に近接して取り付けられるスラスト板の外径との関係を、スラスト板の外径Ｄｓ＞ポリゴンミラ−の取付孔径Ｄｐとの関係に設計することにより、少なくともポリゴンミラ−が取り付け部分から外れてもモ−タ外に飛び出す事態が回避される。
　【０００８】
　また、請求項２にかかるポリゴンスキャナモ−タにあっては、前記スラスト板は、前記ポリゴンミラ−側にスラスト方向の空気動圧軸受面を有するものである。
　【０００９】
　この発明によれば、スラスト板の片面がスラスト空気動圧を形成する溝面（軸受面）を有する機能を備えていることにより、スラスト空気動圧生成とミラ−抜け止めの両機能が一枚の板で実現する。
　【００１０】
　また、請求項３にかかるポリゴンスキャナモ−タにあっては、前記ポリゴンミラ−は、前記ポリゴンミラ−の取付孔が前記回転子の突部に嵌合され、前記突部の縁が所定の圧力で塑性変形されて固定され、前記スラスト板は、ステ−タ部の固定軸にカシメ固定されているものである。
　【００１１】
　この発明によれば、ポリゴンミラ−を変形させない適度な圧力で変形された固定部から万が一ポリゴンミラ−が外れてもステ−タ部が軸部に強固にカシメ固定されているので、モ−タから飛び出すことが回避される。
　【００１２】
　また、請求項４にかかるポリゴンスキャナモ−タにあっては、前記スラスト板は、前記突部と前記取付孔とが固定される軸方向の厚さ以下の寸法で前記ポリゴンミラ−上面より離間されているものである。
　【００１３】
　この発明によれば、ポリゴンミラ−がもし固定部分で緩んでも、スラスト板が厚さ以下の寸法でポリゴンミラ−上面より離間されてカシメ固定されているので完全に外れる状態が回避される。
　【００１４】
　また、請求項５にかかるポリゴンスキャナモ−タにあっては、前記スラスト板は、前記ポリゴンミラ−の反射面の厚さ以下の寸法で離間されているものである。
　【００１５】
　この発明によれば、ポリゴンミラ−が固定部分で一部分が緩んでも完全に空回りせずかつ傾きを生じない限り、光偏向走査が可能な状態をしばらく維持することが可能になる。
　【００１６】
　【発明の実施の形態】
　以下、本発明にかかるポリゴンスキャナモ−タの好適な実施の形態について添付図面を参照し、詳細に説明する。なお、本発明はこの実施の形態に限定されるものではない。また、このポリゴンスキャナモ−タはレ−ザプリンタなどの画像形成装置に搭載される例について記述するが、この他にポリゴンミラ−の代わりにディスク状の薄片体を高速回転する装置に同様に展開することが可能である。
　【００１７】
　本発明のポリゴンスキャナモ−タはレ−ザプリンタやデジタル複写機などのレ−ザ走査系（レ−ザ書き込みユニット）に搭載され、ポリゴンミラ−を所定の速度で回転し、その側面の反射面により偏向走査し、さらに各レンズおよびミラ−を介してレ−ザビ−ムを感光体表面に光学走査する装置に用いられるものである。したがって、このポリゴンスキャナモ−タの品質（ジッタ−特性、面倒れなど）の善し悪しが画像品質に影響するため、重要なユニットとして位置付けられている。
　【００１８】
　図１は、本発明の実施の形態にかかるポリゴンスキャナモ−タの構成を示す断面図である。図において、符号１はポリゴンスキャナモ−タ、符号２はブラシレスモ−タ（ｂｒｕｓｈｌｅｓｓ　ｍｏｔｏｒ）構造の直流モ−タ、符号３はポリゴンミラ−（ｐｏｌｙｇｏｎ　ｍｉｒｒｏｒ）、符号３ａはポリゴンミラ−３の厚み方向に対するミラ−中心である。
　【００１９】
　また、符号４は鉄板上に、ドライバなどの各回路およびＩＣ部品を配線し搭載するためのプリント配線基板、符号５はラジアルおよびスラスト方向でなる空気動圧軸受、符号６は突部、符号２１は固定子、符号２２はモ−タコア、符号２３はステ−タ（ｓｔａｔｏｒ：固定子）部、符号２４は軸部、符号２５はロ−タ（ｒｏｔｏｒ：回転子）部、符号２６は回転子、符号２７は円環状の鉄性（磁性体であること）でなるヨ−ク（ｙｏｋｅ：継鉄）、符号２８はヨ−ク２７の内側に設けられた円環状のマグネットである。
　【００２０】
　また、符号２９はスラスト方向のストッパの機能およびスラスト動圧グル−ブが形成されているスラスト板、符号３１はポリゴンミラ−３の中心に設けられた取付孔、符号３２は反射面、符号４０はホ−ル効果デバイス（Ｈａｌｌ　ｅｆｆｅｃｔ　ｄｅｖｉｃｅ、以下、ホ−ルセンサという）である。また、符号４５はラジアルおよびスラスト方向よりなる動圧軸受面である。以下、これらの部品の構成関係などについて述べる。
　【００２１】
　このポリゴンスキャナモ−タ１は、軸部２４に軸支されたポリゴンミラ−３をブラシレス型の直流モ−タ２によって高速回転するように構成されている。また、その下部は１ｍｍ厚程度の鉄板上に絶縁処理し、その上にプリント配線がなされたプリント配線基板４が設けられ、その孔部分に固定子２１の下部が位置決めされ嵌合されている。
　【００２２】
　直流モ−タ（ＤＣブラシスモ−タ）２は、プリント配線基板４にカシメなどの適宜の手段で固定されている固定子２１にモ−タコア２２を所定位置に軽圧入にて固定してなるステ−タ部２３を備えており、固定子２１には空気動圧軸受５を介してロ−タ部２５が回転自在に支承されている。
　【００２３】
　ロ−タ部２５は、回転子２６の外周に固定されている磁性材料からなるスカ−ト部２７の内側に、たとえば、希土類磁石であるネオジボンド・マグネット（ネオジウム（Ｎｄ）系）、サマリウムコバルト系（サマリウム（Ｓｍ）系）などでなるリング状のマグネット２８を固定し、モ−タコア２２に流れる駆動電流による磁界とマグネット２８による磁界との間に働く力により回転子２６が回転する構成となっている。
　【００２４】
　ポリゴンミラ−３は、アルミニウム材料からなり、レ−ザビ−ムを等角走査するために正六角形の薄板状をなし、その中心部には円形の取付孔３１が形成されている。ポリゴンミラ−３の側面にはレ−ザビ−ムを反射させるためにサブミクロンオ−ダの鏡面仕上げの反射面３２が形成されている。なお、ポリゴンミラ−３は正六角形に限らず、正多面形であれば何角形であってもよい。
　【００２５】
　ポリゴンミラ−３をその取付孔３１を用いて回転子２６に固定するために、回転子２６には取付孔３１に嵌合する円環状の突部６が回転子２６と同心で形成されている。すなわち、ポリゴンミラ−３の取付孔３１を突部６に挿入し、突部６の上縁部分を所定圧（ポリゴンミラ−３の表面鏡面部を変形させない程度の圧力）で押圧し突部６をポリゴンミラ−３側に塑性変形させることにより、取付孔３１側に放射状につっぱり力を持たせて抜け止め固定を行なう。
　【００２６】
　ロ−タ部２５をステ−タ部２３に回転自在に設けるために、固定子２１の先端部には、細径部２１ａが同軸心で形成されており、回転子２６が細径部２１ａに緩挿されることにより、回転子２６が固定子２１に回転自在に支承される構成になっている。さらに、細径部２１ａの先端の軸部２４には動圧発生用部材としてのスラスト板２９がカシメ加工により固定されている。これにより、回転子２６のスラスト方向の動きが制限される。
　【００２７】
　また、図示の符号４５は動圧軸受面であり、それぞれの部品面（ステ−タ部２３、回転子２６、スラスト板２９の接触面）に５ミクロン程度の動圧溝（グル−ブ）がたとえば旋削加工によって形成され、さらにその上に低摩擦係数で撥水性のあるＰＴＦＥなどのフッ素化合物の微粒子を分散させた金属で表面処理されている。これにより、回転子２６の動圧作用によって細径部２１ａを中心に円滑にかつ安定して高速回転できるように微量の間隙が形成されるように構成されている。
　【００２８】
　ロ−タ部２５の外周には磁性材料（鉄など）で作製された円筒状のスカ−ト部２７が嵌合され、その内側に厚さ１ｍｍほどのリング状をなしたマグネット２８が固定されている。そして、このマグネット２８の磁力分布における最適位置を考慮し、マグネット２８に対向する位置に、ホ−ル効果（Ｈａｌｌ　Ｅｆｆｅｃｔ）と呼ばれる一種の電流磁気効果作用（電磁変換型）を応用した磁極位置を検出するホ−ルセンサ４０が所定の間隔をもって複数個プリント配線基板４上に設けられている。
　【００２９】
　つぎに、本発明の特徴であるポリゴンミラ−３の抜け防止構造について詳述する。ポリゴンミラ−３は、その取付孔３１が回転子２６の突部６に嵌合され、当該嵌合部分の縁が所定の圧力で弾性変形されてスラスト方向が固定されている。また、スラスト板２９は、ステ−タ部２３の軸部２４にカシメ固定されている。ここで、モ−タの回転子２６の突部６に嵌合固定されるポリゴンミラ−３の取付孔径Ｄｐに対し、ポリゴンミラ−３の上側に固定されるスラスト板２９の外径Ｄｓを大きくして設計されている。このようにスラスト板２９の外径Ｄｓ＞ポリゴンミラ−３の取付孔径Ｄｐとすることにより、少なくともポリゴンミラ−３が取り付け部分から外れてもモ−タ外に飛び出す事態を回避することができる。
　【００３０】
　ポリゴンミラ−３は、ポリゴンミラ−３の取付孔３１が回転子２６の突部６に嵌合され、当該嵌合部分の縁が所定の圧力で弾性変形されて固定され、スラスト板２９は、ステ−タ部２３の軸部２４にカシメ固定されている。すなわち、ポリゴンミラ−３は取付孔３１部分が突部６のつっぱり変形によりミラ−変形を生じない程度で適度に固定され、さらにスラスト板２９が軸部２４で強固に固定されている。これにより、ポリゴンミラ−３を変形させない適度な圧力で変形された固定部から万が一ポリゴンミラ−３が外れてもスラスト板２９が軸部２４に強固にカシメ固定されているので、モ−タから飛び出すことを回避することができる。
　【００３１】
　また、スラスト板２９は、突部６と取付孔３１とで固定される軸方向の厚さＨ３以下の寸法でポリゴンミラ−３上面より離間されている。このため、ポリゴンミラ−３が固定部分で緩んでも、スラスト板２９が厚さＨ３以下の寸法でポリゴンミラ−３上面より離間されてカシメ固定されているので完全な外れ状態を回避することができる。
　【００３２】
　さらに、スラスト板２９は、ポリゴンミラ−３の反射面３２の厚さＨ１以下の寸法で離間されている。このため、ポリゴンミラ−３が固定部分で一部分が緩んでも完全に空回りしない限り、光偏向走査が可能な状態をしばらく維持することが可能になる。
　【００３３】
　【発明の効果】
　以上説明したように、本発明にかかるポリゴンスキャナモ−タ（請求項１）によれば、ポリゴンミラ−を取り付けるための取付孔径とポリゴンミラ−の上部に近接して取り付けられるスラスト板の外径との関係を、スラスト板の外径Ｄｓ＞ポリゴンミラ−の取付孔径Ｄｐとの関係に設計することにより、少なくともポリゴンミラ−が取り付け部分から外れてもモ−タ外に飛び出す事態が回避される。したがって、ポリゴンミラ−を変形させるような力を与えない構造としたので、ポリゴンミラ−の変形を回避した状態で、光学特性に影響を及ぼすことのないミラ−抜け防止構造が実現する。
　【００３４】
　また、本発明にかかるポリゴンスキャナモ−タ（請求項２）によれば、スラスト板の片面がスラスト空気動圧を形成する溝面（軸受面）を有する機能を備えているので、スラスト空気動圧生成とミラ−抜け止めの両機能が一枚のスラスト板の配置関係で実現する。
　【００３５】
　また、本発明にかかるポリゴンスキャナモ−タ（請求項３）によれば、ポリゴンミラ−を変形させない適度な圧力で変形された固定部から万が一ポリゴンミラ−が外れてもステ−タ部が軸部に強固にカシメ固定されているので、モ−タから飛び出すことを回避することができる。
　【００３６】
　また、本発明にかかるポリゴンスキャナモ−タ（請求項４）によれば、ポリゴンミラ−が固定部分で緩んでも、スラスト板が厚さ以下の寸法でポリゴンミラ−上面より離間されてカシメ固定されているので、完全に外れる状態を回避することができる。
　【００３７】
　また、本発明にかかるポリゴンスキャナモ−タ（請求項５）によれば、ポリゴンミラ−の反射厚さ以下でミラ−内径より大きい寸法のスラスト板が配置されているので、ポリゴンミラ−が固定部分で一部分が緩んでも完全に空回りせずかつ傾きを生じない限り、光偏向走査が可能な状態をしばらく維持することが可能になる。
【図面の簡単な説明】
　【図１】
　本発明の実施の形態にかかるポリゴンスキャナモ−タの構成を示す断面図である。
　【符号の説明】
　　１　ポリゴンスキャナモ−タ
　　２　直流モ−タ
　　３　ポリゴンミラ−
　　５　空気動圧軸受
　　６　突部
　２３　ステ−タ部
　２４　軸部
　２５　ロ−タ部
　２６　回転子
　２９　スラスト板
　３１　取付孔
　３２　反射面